(57)【要約】【課題】  大型化しても、画面の表示むらを抑制できる電気光学装置を駆動する駆動回路を提供すること。【解決手段】  走査線駆動回路１０およびデータ線駆動回路２０は、複数の走査線Ｙ１〜Ｙｍと、複数のデータ線Ｘ１〜Ｘｎと、走査線Ｙ１〜Ｙｍとデータ線Ｘ１〜Ｘｎとの交差に対応して設けられた有機ＥＬ素子を含む表示パネル３０と、を備えた電気光学装置１を駆動する。これら走査線駆動回路１０およびデータ線駆動回路２０は、走査線Ｙ１〜Ｙｍのうち特定の走査線Ｙを選択し、この選択した走査線Ｙを接地する走査線切替装置１２と、データ線Ｘ１〜Ｘｎのうち特定のデータ線Ｘを選択し、この選択したデータ線Ｘを介して有機ＥＬ素子に電流を供給するデータ線切替装置２２と、を備える。走査線切替装置１２は、前回選択した走査線Ｙと１本重複するように、２本の走査線Ｙを選択する。【選択図】        図１
2006235162.tif 000002
【特許請求の範囲】
【請求項１】
複数の走査線と、複数のデータ線と、前記走査線と前記データ線との交差に対応して設けられた有機ＥＬ素子を含む表示部とを備えた電気光学装置を駆動する駆動回路であって、
前記走査線のうち特定の走査線を選択し、この選択した走査線を接地する走査線切替手段と、
前記データ線のうち特定のデータ線を選択し、この選択したデータ線を介して前記有機ＥＬ素子に電流を供給するデータ線切替手段と、を備え、
前記走査線切替手段は、前回選択した走査線と一部重複するように、２以上の走査線を選択することを特徴とする駆動回路。
【請求項２】
請求項１に記載の駆動回路において、
入力される階調データに基づいて、前記表示部を階調制御する階調信号を生成する階調信号生成手段をさらに備え、
前記データ線切替手段は、前記階調信号に基づいて前記有機ＥＬ素子に電流を供給し、
前記階調信号生成手段は、前記走査線切替手段で同時に選択される走査線の数をｎ本とすると、前記同時に選択する走査線のうちの１つの階調データをｎで除して、前記階調信号を生成することを特徴とする駆動回路。
【請求項３】
請求項１に記載の駆動回路において、
入力される階調データに基づいて、前記表示部を階調制御する階調信号を生成する階調信号生成手段をさらに備え、
前記データ線切替手段は、前記階調信号に基づいて前記有機ＥＬ素子に電流を供給し、
前記階調信号生成手段は、前記走査線切替手段で同時に選択される走査線の数をｎ本とすると、前記同時に選択される走査線の階調データの和を２ｎで除して、前記階調信号を生成することを特徴とする駆動回路。
【請求項４】
請求項１に記載の駆動回路において、
前記各データ線は、前記走査線切替手段で同時に選択される走査線の数をｎ本とすると、前記走査線ｎ本毎の有機ＥＬ素子に対応して設けられることを特徴とする駆動回路。
【請求項５】
請求項１から４のいずれかに記載の駆動回路において、
前記走査線切替手段は、前記選択した走査線を、データ線方向の位置に応じて、一端側または他端側で交互に接地することを特徴とする駆動回路。
【請求項６】
請求項１から４のいずれかに記載の駆動回路において、
前記走査線切替手段は、前記選択した走査線を両端側で接地することを特徴とする駆動回路。
【請求項７】
請求項１から４のいずれかに記載の駆動回路において、
前記走査線切替手段は、前記選択した走査線を、選択する度に、一端側または他端側で交互に接地することを特徴とする駆動回路。
【請求項８】
請求項１から７のいずれかに記載の駆動回路を備えたことを特徴とする電気光学装置。
【請求項９】
請求項８に記載の電気光学装置を備えたことを特徴とする電子機器。
【請求項１０】
複数の走査線と、複数のデータ線と、前記走査線と前記データ線との交差に対応して設けられた有機ＥＬ素子を含む表示部とを備えた電気光学装置の駆動方法であって、
前記走査線のうち特定の走査線を選択し、この選択した走査線を接地する走査線切替手順と、
前記特定の走査線が接地した状態で、前記データ線のうち特定のデータ線を選択し、この選択したデータ線を介して前記有機ＥＬ素子に電流を供給するデータ線切替手順と、を含み、以上の手順を繰り返し、
前記走査線切替手順では、前回選択した走査線と一部重複するように、２以上の走査線を選択することを特徴とする電気光学装置の駆動方法。
【請求項１１】
請求項１０に記載の電気光学装置の駆動方法において、
入力される階調データに基づいて、前記表示部を階調制御する階調信号を生成する階調信号生成手順さらにを備え、
前記データ線切替手順では、前記階調信号に基づいて前記有機ＥＬ素子に電流を供給し、
前記階調信号生成手順では、前記走査線切替手段で同時に選択される走査線の数をｎ本とすると、前記同時に選択する走査線のうちの１つの階調データをｎで除して、前記階調信号を生成することを特徴とする電気光学装置の駆動方法。
【請求項１２】
請求項１０に記載の電気光学装置の駆動方法において、
入力される階調データに基づいて、前記表示部を階調制御する階調信号を生成する階調信号生成手順をさらに備え、
前記データ線切替手順では、前記階調信号に基づいて前記有機ＥＬ素子に電流を供給し、
前記階調信号生成手順では、前記走査線切替手段で同時に選択される走査線の数をｎ本とすると、前記同時に選択される走査線の階調データの和を２ｎで除して、前記階調信号を生成することを特徴とする電気光学装置の駆動方法。
【請求項１３】
請求項１０に記載の電気光学装置の駆動方法において、
前記各データ線は、前記走査線切替手段で同時に選択される走査線の数をｎ本とすると、前記走査線ｎ本毎の有機ＥＬ素子に対応して設けられることを特徴とする電気光学装置の駆動方法。
【請求項１４】
請求項１０から１３のいずれかに記載の電気光学装置の駆動方法において、
前記走査線切替手順では、前記選択した走査線を、データ線方向の位置に応じて、一端側または他端側で交互に接地することを特徴とする電気光学装置の駆動方法。
【請求項１５】
請求項１０から１３のいずれかに記載の電気光学装置の駆動方法において、
前記走査線切替手順では、前記選択した走査線を両端側で接地することを特徴とする電気光学装置の駆動方法。
【請求項１６】
請求項１０から１３のいずれかに記載の電気光学装置の駆動方法において、
前記走査線切替手順では、前記選択した走査線を、選択する度に、一端側または他端側で交互に接地することを特徴とする電気光学装置の駆動方法。
【発明の詳細な説明】
【技術分野】
【０００１】
本発明は、複数の走査線と、複数のデータ線と、前記走査線と前記データ線との交差に対応して設けられた有機ＥＬ素子を含む表示部とを備えた電気光学装置、電気光学装置を駆動する駆動回路およびその駆動方法に関する。
【背景技術】
【０００２】
従来より、オーディオ機器や携帯用機器等の電子機器において、フラットパネル型のディスプレイ装置が広く用いられている。このディスプレイ装置として、有機エレクトロルミネッセント（Electroluminescent；以下、ＥＬと呼ぶ。）素子を用いたものがある。この有機ＥＬ素子は自発光素子であり、有機ＥＬ素子を用いたディスプレイ装置は、視野角が大きく、装置自体を薄くできるので、次世代のディスプレイ装置として注目されている。
【０００３】
上述した有機ＥＬ素子を含む電気光学装置の駆動方法としては、単純マトリクス方式と、アクティブマトリクス方式とがある。このうち、単純マトリクス方式の電気光学装置は、例えば、以下のような構造である（特許文献１参照）。
【０００４】
図１３は、従来例に係る電気光学装置１００の回路図である。
電気光学装置１００は、一定間隔おきに配設されたｍ本の走査線Ｙ１〜Ｙｍと、この走査線Ｙ１〜Ｙｍに略直交し一定間隔おきに配設されたｎ本のデータ線Ｘ１〜Ｘｎと、これら走査線Ｙ１〜Ｙｍとデータ線Ｘ１〜Ｘｎとの交差に対応して設けられた有機ＥＬ素子を含む表示パネル３０と、走査線Ｙ１〜Ｙｍを駆動する走査線駆動回路１１０と、データ線Ｘ１〜Ｘｎを駆動するデータ線駆動回路１２０とを備える。
【０００５】
表示パネル３０は、各データ線Ｘ１〜Ｘｎに接続された陽極と、この陽極に対向配置され走査線Ｙ１〜Ｙｍに接続された陰極と、これら陽極と陰極との間に形成された有機ＥＬ素子からなる発光層とを含んで構成される。
ここで、有機ＥＬ素子は、整流特性を有する。すなわち、有機ＥＬ素子は、順方向に発光しきい値Ｖｔｈ以上の電圧が印加されると、電流が流れて、この電流に応じた輝度で発光するが、逆方向に電圧が印加されても、ほとんど電流が流れず発光しない。このように、有機ＥＬ素子は、電流に依存した輝度特性を持っており、発光ダイオード（ＬＥＤ）と同じ電気的動作をするため、図１３では、ダイオードとして表現されている。
【０００６】
走査線駆動回路１１０は、一定電圧を印加する第１印加装置１１１と、走査線Ｙ１〜Ｙｍのうち選択された走査線Ｙを接地するとともに、非選択の走査線Ｙを印加装置１１１に接続する走査線切替装置１１２と、を備える。なお、図１３では、走査線切替装置１１２が走査線Ｙ１を選択した状態が示されている。
【０００７】
データ線駆動回路１２０は、一定電流を供給する電流供給装置１２１と、一定電圧を印加する第２印加装置１２３と、データ線Ｘ１〜Ｘｎのうち選択されたデータ線Ｘを電流供給装置１２１および第２印加装置１２３に接続するデータ線切替装置１２２と、を備える。なお、図１３では、データ線切替装置１２２がデータ線Ｘ１〜Ｘｎを選択した状態が示されている。
【０００８】
単純マトリクス方式の電気光学装置１００によれば、走査線切替装置１１２で１本の走査線Ｙを選択し、選択した走査線Ｙを接地し、非選択の走査線Ｙを第１印加装置１１１に接続する。この状態で、データ線切替装置１２２により、任意のデータ線Ｘを選択して、選択したデータ線Ｘを、所定期間、電流供給装置１２１および第２印加装置１２３に接続し、非選択のデータ線Ｘを接地する。
これにより、電流供給装置１２１から、選択した走査線Ｙおよびデータ線Ｘの交差に対応した有機ＥＬ素子を通って、ＧＮＤに電流が流れて、この有機ＥＬ素子が発光する。このように、選択した有機ＥＬ素子のみが所定期間発光する。
【０００９】
ところで、近年、有機ＥＬディスプレイの大型化が要請されているが、上述した単純マトリクス方式の表示パネルを大型化すると、データ線に流れる電流が増加するとともに、走査線の長さが長くなる。そのため、走査線に流れ込む電流が増加して、走査線の配線抵抗により、走査線の両端の電位差が生じる。その結果、走査線の接地方向側の有機ＥＬ素子の発光輝度は、接地方向と反対側の有機ＥＬ素子の発光輝度よりも高くなってしまい、画面に表示むらが発生するおそれがある。
【００１０】
この問題を解決するため、例えば、隣接する走査線の接地方向を異なる方向にするとともに、走査線を２本ずつ選択する構成がある（特許文献２参照）。この構成によれば、同時に２本の走査線を選択するので、走査線１本当りの電流を半減でき、画面の表示むらを抑制できる。
【特許文献１】特開平６−３０１３５５号公報
【特許文献２】特開平２００２−２９９０４５号公報
【発明の開示】
【発明が解決しようとする課題】
【００１１】
しかしながら、特開平２００２−２９９０４５号公報に開示された構成では、２本の走査線をまとめて選択するため、実質的には、この２本の走査線が１本の走査線として選択され、高精細な表示が困難になり、表示品質が低下する、という問題がある。特に、表示パネルが大型化すると、この問題が顕著であった。
【００１２】
本発明は、大型化しても、表示品質の低下を防止しつつ、画面の表示むらを抑制できる電気光学装置、電気光学装置を駆動する駆動回路およびその駆動方法を提供することを目的とする。
【課題を解決するための手段】
【００１３】
本発明の駆動回路は、複数の走査線と、複数のデータ線と、前記走査線と前記データ線との交差に対応して設けられた有機ＥＬ素子を含む表示部とを備えた電気光学装置を駆動する駆動回路であって、前記走査線のうち特定の走査線を選択し、この選択した走査線を接地する走査線切替手段と、前記データ線のうち特定のデータ線を選択し、この選択したデータ線を介して前記有機ＥＬ素子に電流を供給するデータ線切替手段と、を備え、前記走査線切替手段は、前回選択した走査線と一部重複するように、２以上の走査線を選択することを特徴とする。
【００１４】
この発明によれば、走査線切替手段で、前回選択した走査線と一部重複するように、２以上の走査線を選択した。よって、各走査線を複数回選択することになるから、各走査線の選択時間が長くなり、データ線の電流を削減できる。その結果、走査線の電流も削減できるから、電気光学装置を大型化しても、画面の表示むらを抑制できる。また、高精細な表示が可能となり、表示品質を維持できる。
【００１５】
本発明の駆動回路では、入力される階調データに基づいて、前記表示部を階調制御する階調信号を生成する階調信号生成手段をさらに備え、前記データ線切替手段は、前記階調信号に基づいて前記有機ＥＬ素子に電流を供給し、前記階調信号生成手段は、前記走査線切替手段で同時に選択される走査線の数をｎ本とすると、前記同時に選択する走査線のうちの１つの階調データをｎで除して、前記階調信号を生成することが好ましい。
【００１６】
データ線方向に配列された１列の画素を１本のデータ線で駆動する構成とした場合、駆動回路でｎ本の走査線を同時に選択すると、１本のデータ線に供給した電流は、そのデータ線に対応するｎ個の画素を同一の輝度で発光させる。
そこで、この発明によれば、同時に選択する走査線のうちの１つの階調データをｎで除して階調信号を生成したので、各データ線に対応するｎ個の画素が同一の輝度で発光しても、階調データと表示画像との誤差を小さくできる。
【００１７】
本発明の駆動回路では、入力される階調データに基づいて、前記表示部を階調制御する階調信号を生成する階調信号生成手段をさらに備え、前記データ線切替手段は、前記階調信号に基づいて前記有機ＥＬ素子に電流を供給し、前記階調信号生成手段は、前記走査線切替手段で同時に選択される走査線の数をｎ本とすると、前記同時に選択される走査線の階調データの和を２ｎで除して、前記階調信号を生成することが好ましい。
【００１８】
上述したように、データ線方向に配列された１列の画素を１本のデータ線で駆動する構成とした場合、駆動回路でｎ本の走査線を同時に選択すると、各データ線に対応するｎ個の画素は全て同一の輝度になる。
そこで、この発明によれば、同時に選択される走査線の階調データの和を２ｎで除して階調信号を生成したので、各データ線に対応するｎ個の画素が同一の輝度で発光しても、階調データと表示画像との誤差を小さくできる。
【００１９】
本発明の駆動回路では、前記各データ線は、前記走査線切替手段で同時に選択される走査線の数をｎ本とすると、前記走査線ｎ本毎の有機ＥＬ素子に対応して設けられることが好ましい。
【００２０】
上述したように、データ線方向に配列された１列の画素を１本のデータ線で駆動する構成とした場合、駆動回路でｎ本の走査線を同時に選択すると、各データ線に対応するｎ個の画素は全て同一の輝度になる。
そこで、この発明によれば、各データ線を走査線ｎ本毎の有機ＥＬ素子に対応して設けたので、つまり、データ線方向に配列された１列の画素をｎ本のデータ線で駆動したので、ｎ本の走査線を同時に選択しても、これらｎ本の走査線と各データ線との交差に位置する有機ＥＬ素子をそれぞれ個別に駆動できるから、入力される階調データに基づいて正確に画像表示できる。
【００２１】
本発明の駆動回路では、前記走査線切替手段は、前記選択した走査線を、データ線方向の位置に応じて、一端側または他端側で交互に接地することが好ましい。
【００２２】
この発明によれば、データ線方向の位置に応じて、選択した走査線を一端側または他端側で交互に接地した。よって、互いに隣接する走査線は、異なる方向に接地されることになる。したがって、走査線を順次選択していくと、目視上、隣接する走査線の輝度むらが相殺されるので、画面の表示むらを軽減できる。
【００２３】
本発明の駆動回路では、前記走査線切替手段は、前記選択した走査線を両端側で接地することが好ましい。
【００２４】
この発明によれば、選択した走査線を両端側で接地したので、選択した走査線を一端側または他端側で接地した場合に比べ、配線抵抗による走査線の両端の電位差を略半分にできるので、画面の表示むらをさらに軽減できる。
【００２５】
本発明の駆動回路では、前記走査線切替手段は、前記選択した走査線を、選択する度に、一端側または他端側で交互に接地することが好ましい。
【００２６】
この発明によれば、選択した走査線を、選択する度に、一端側または他端側で交互に接地した。よって、１本の走査線は、走査線切替手段で選択されるたびに、異なる方向に接地されることになる。したがって、走査線を順次選択していくと、目視上、隣接する走査線の輝度むらが相殺されるので、画面の表示むらを軽減できる。
【００２７】
本発明の電気光学装置の駆動方法（請求項１０〜１６）は、上述した駆動回路（請求項１〜７）を、電気光学装置の駆動方法として展開したものである。
この電気光学装置の駆動方法によれば、上述した駆動回路で述べた効果と同様の効果を奏することができる。
【発明を実施するための最良の形態】
【００２８】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る駆動回路が適用された電気光学装置１を示す回路図である。
電気光学装置１は、一定間隔おきに配設されたｍ本の走査線Ｙ１〜Ｙｍと、この走査線Ｙ１〜Ｙｍに略直交し一定間隔おきに配設されたｎ本のデータ線Ｘ１〜Ｘｎと、これら走査線Ｙ１〜Ｙｍとデータ線Ｘ１〜Ｘｎとの交差に対応して設けられ有機ＥＬ素子を含む表示部としての表示パネル３０と、走査線Ｙ１〜Ｙｍを駆動する走査線駆動回路１０と、データ線Ｘ１〜Ｘｎを駆動するデータ線駆動回路２０とを備える。
【００２９】
表示パネル３０は、各データ線Ｘ１〜Ｘｎに接続された陽極と、この陽極に対向配置され走査線Ｙ１〜Ｙｍに接続された陰極と、これら陽極と陰極との間に形成された有機ＥＬ素子からなる発光層とを含んで構成される。
なお、有機ＥＬ素子は、上述したように、整流特性を有するため、図１では、ダイオードとして表現されている。
【００３０】
走査線駆動回路１０は、一定電圧を印加する第１印加装置１１と、走査線Ｙ１〜Ｙｍのうち選択した走査線Ｙを一端側（図１中左側）で接地するとともに、非選択の走査線Ｙを印加装置１１に接続する走査線切替装置１２と、を備える。第１印加装置１１は、ここでは、電圧源である。なお、図１では、走査線切替装置１２が走査線Ｙ１、Ｙ２を選択した状態が示されている。
【００３１】
走査線切替装置１２は、前回選択した走査線Ｙと１本重複するように、２本の走査線Ｙを順次選択する。すなわち、走査線Ｙｋ、Ｙｋ＋１（ｋは１以上ｍ−２以下の整数）を選択した後、次回では、走査線Ｙｋ＋１、Ｙｋ＋２を選択する。
【００３２】
データ線駆動回路２０は、一定電流を供給する電流供給装置２１と、一定電圧を印加する第２印加装置２３と、階調信号に基づいてデータ線Ｘ１〜Ｘｎのうち選択したデータ線Ｘを電流供給装置２１および第２印加装置２３に接続し、非選択のデータ線Ｘを接地するデータ線切替装置２２と、を備える。第２印加装置２３は、ここでは、電圧源である。なお、図１では、データ線切替装置２２がデータ線Ｘ１〜Ｘｎを選択した状態が示されている。
【００３３】
データ線切替装置２２は、入力される階調データに基づいて、表示部を階調制御する階調信号を生成する階調信号生成手段としての機能を有している。具体的には、表１に示すように、走査線切替装置１２で同時に選択される走査線の数は２本であるので、同時に選択する２本の走査線Ｙのうちの１番目の階調データを２で除して、階調信号を生成する。
【００３４】
【表１】
2006235162.tif 000003
【００３５】
この電気光学装置１は以下のように動作する。
走査線切替装置１２で２本の走査線Ｙを選択し、選択した走査線Ｙを接地し、非選択の走査線Ｙを第１印加装置１１に接続する。この状態で、データ線切替装置２２により、階調信号を生成し、この階調信号に基づいてデータ線Ｘを選択して、選択したデータ線Ｘを、所定期間、電流供給装置２１および第２印加装置２３に接続し、非選択のデータ線Ｘを接地する。
【００３６】
本実施形態によれば、以下のような効果がある。
（１）走査線切替装置１２で、前回選択した走査線Ｙと１本重複するように、２本の走査線Ｙを選択した。よって、各走査線Ｙを２回選択することになるから、各走査線Ｙの選択時間が従来に比べて２倍になり、データ線Ｘの電流を削減できる。その結果、走査線Ｙの電流も削減できるから、電気光学装置１を大型化しても、画面の表示むらを抑制できる。また、高精細な表示が可能となり、表示品質を維持できる。
【００３７】
（２）同時に選択する２本の走査線Ｙのうちの１番目の階調データを２で除して階調信号を生成したので、各データ線Ｘに対応する２箇所の有機ＥＬ素子を同一の輝度で発光させても、表示画像と階調データとの誤差を小さくできる。
【００３８】
なお、本実施形態では、データ線切替装置２２を、同時に選択する２本の走査線Ｙのうちの１番目の階調データを２で除して、階調信号を生成したが、これに限らず、表２に示すように、同時に選択される２本の走査線の階調データの和を４で除して、階調信号を生成してもよい。このようにしても、上述した（１）、（２）と同様の効果を得ることができる。
【００３９】
また、走査線を２本同時に駆動したので、画像表示を適切に行うためには、２倍の本数のデータ線が必要になるとも考えられるが、本実施形態では、表１、２に示すように階調信号を生成したので、データ線本数を２倍にすることなく画像表示できる。
【００４０】
【表２】
2006235162.tif 000004
【００４１】
〔第２実施形態〕
図２は、本発明の第２実施形態に係る駆動回路が適用された電気光学装置１Ａを示す回路図である。
電気光学装置１Ａは、走査線駆動回路１０Ａの構造が、第１実施形態と異なる。
すなわち、走査線駆動回路１０Ａの第１印加装置１１Ａは、走査線Ｙの一端側（図２中左側）に設けられた第１電圧源４１と、走査線Ｙの他端側（図２中右側）に設けられた第２電圧源５１と、で構成される。
また、走査線駆動回路１０Ａの走査線切替装置１２Ａは、走査線Ｙの一端側（図２中左側）に設けられた第１走査線切替機構４２と、走査線Ｙの他端側（図２中右側）に設けられた第２走査線切替機構５２と、で構成される。
【００４２】
第１走査線切替機構４２は、走査線Ｙ１〜Ｙｍから選択した奇数番目の走査線Ｙを一端側（図２中左側）で接地するとともに、非選択の奇数番目の走査線Ｙを第１電圧源４１に接続する。
第２走査線切替機構５２は、走査線Ｙ１〜Ｙｍから選択した偶数番目の走査線Ｙを他端側（図２中右側）で接地するとともに、非選択の偶数番目の走査線Ｙを第２電圧源５１に接続する。
つまり、走査線切替装置１２Ａは、選択した走査線Ｙを、データ線方向、つまり図２中上下方向の位置に応じて、一端側または他端側で交互に接地する。
【００４３】
走査線切替装置１２Ａは、走査線切替装置１２と同様に、前回選択した走査線Ｙと１本重複するように、２本の走査線Ｙを順次選択する。すなわち、走査線Ｙｋ、Ｙｋ＋１（ｋは１以上ｍ−２以下の整数）を選択した後、次回では、走査線Ｙｋ＋１、Ｙｋ＋２を選択する。
【００４４】
この電気光学装置１Ａは以下のように動作する。
まず、走査線切替装置１２Ａは、２本の走査線Ｙを選択する。次に、第１走査線切替機構４２は、選択した走査線Ｙのうち奇数番目を接地し、非選択の走査線Ｙのうち奇数番目を第１電圧源４１に接続する。同時に、第２走査線切替機構５２は、選択した走査線Ｙのうち偶数番目を接地し、非選択の走査線Ｙのうち偶数番目を第２電圧源５１に接続する。この状態で、データ線切替装置２２により、階調信号を生成し、この階調信号に基づいてデータ線Ｘを選択して、選択したデータ線Ｘを、所定期間、電流供給装置２１および第２印加装置２３に接続し、非選択のデータ線Ｘを接地する。
【００４５】
本実施形態によれば、上述した第１実施形態の（１）、（２）の効果に加え、以下のような効果がある。
（３）走査線切替装置１２Ａで、データ線方向の位置に応じて、選択した走査線Ｙを一端側または他端側で交互に接地した。よって、互いに隣接する走査線Ｙは、異なる方向に接地されることになる。したがって、走査線Ｙを順次選択していくと、目視上、隣接する走査線Ｙの輝度むらが相殺されるので、画面の表示むらを軽減できる。
【００４６】
〔第３実施形態〕
図３は、本発明の第３実施形態に係る駆動回路が適用された電気光学装置１Ｂを示す回路図である。
電気光学装置１Ｂは、走査線駆動回路１０Ｂの構造が、第１実施形態と異なる。
すなわち、走査線駆動回路１０Ｂの第１印加装置１１Ｂは、走査線Ｙの一端側（図３中左側）に設けられた第１電圧源４１Ｂと、走査線Ｙの他端側（図３中右側）に設けられた第２電圧源５１Ｂと、で構成される。
また、走査線駆動回路１０Ｂの走査線切替装置１２Ｂは、走査線Ｙの一端側（図３中左側）に設けられた第１走査線切替機構４２Ｂと、走査線Ｙの他端側（図３中右側）に設けられた第２走査線切替機構５２Ｂと、で構成される。
【００４７】
第１走査線切替機構４２Ｂは、走査線Ｙ１〜Ｙｍのうち選択した走査線Ｙを一端側（図３中左側）で接地するとともに、非選択の走査線Ｙを第１電圧源４１Ｂに接続する。
第２走査線切替機構５２Ｂは、走査線Ｙ１〜Ｙｍのうち選択した走査線Ｙを他端側（図３中右側）で接地するとともに、非選択の走査線Ｙを第２電圧源５１Ｂに接続する。
つまり、走査線切替装置１２Ｂは、選択した走査線Ｙを両端側で接地する。
【００４８】
走査線切替装置１２Ｂは、走査線切替装置１２と同様に、前回選択した走査線Ｙと１本重複するように、２本の走査線Ｙを順次選択する。すなわち、走査線Ｙｋ、Ｙｋ＋１（ｋは１以上ｍ−２以下の整数）を選択した後、次回では、走査線Ｙｋ＋１、Ｙｋ＋２を選択する。
【００４９】
この電気光学装置１Ｂは以下のように動作する。
まず、走査線切替装置１２Ｂで２本の走査線Ｙを選択する。次に、走査線切替機構４２Ｂ、５２Ｂは、選択した走査線Ｙを接地し、非選択の走査線Ｙを電圧源４１Ｂ、５１Ｂに接続する。この状態で、データ線切替装置２２により、階調信号を生成し、この階調信号に基づいてデータ線Ｘを選択して、選択したデータ線Ｘを、所定期間、電流供給装置２１および第２印加装置２３に接続し、非選択のデータ線Ｘを接地する。
【００５０】
本実施形態によれば、上述した第１実施形態の（１）、（２）の効果に加え、以下のような効果がある。
（４）走査線切替装置１２Ｂで、選択した走査線Ｙを両端側で設置したので、選択した走査線Ｙを一端側または他端側で接地した場合に比べ、配線抵抗による走査線Ｙの両端の電位差を略半分にできるので、画面の表示むらをさらに軽減できる。
【００５１】
〔第４実施形態〕
図４は、本発明の第４実施形態に係る駆動回路が適用された電気光学装置１Ｃを示す回路図である。
電気光学装置１Ｃは、走査線駆動回路１０Ｃの構造が、第１実施形態と異なる。
すなわち、走査線駆動回路１０Ｃの第１印加装置１１Ｃは、走査線Ｙの一端側（図４中左側）に設けられた第１電圧源４１Ｃと、走査線Ｙの他端側（図４中右側）に設けられた第２電圧源５１Ｃと、で構成される。
また、走査線駆動回路１０Ｃの走査線切替装置１２Ｃは、走査線Ｙの一端側（図４中左側）に設けられた第１走査線切替機構４２Ｃと、走査線Ｙの他端側（図４中右側）に設けられた第２走査線切替機構５２Ｃと、で構成される。
【００５２】
第１走査線切替機構４２Ｃは、走査線Ｙ１〜Ｙｍから選択した２本の走査線Ｙのうち１番目の走査線Ｙを一端側（図６中左側）で接地するとともに、非選択の走査線Ｙを第１電圧源４１Ｃに接続する。
第２走査線切替機構５２Ｃは、走査線Ｙ１〜Ｙｍから選択した２本の走査線Ｙのうち２番目の走査線Ｙを他端側（図６中右側）で接地するとともに、非選択の走査線Ｙを第２電圧源５１Ｃに接続する。
つまり、走査線切替装置１２Ｃは、選択した走査線Ｙを、選択する度に、一端側または他端側で交互に接地する。
【００５３】
この電気光学装置１Ｃは以下のように動作する。
まず、走査線切替装置１２Ｃで２本の走査線Ｙ１、Ｙ２を選択する。ここで、図４に示すように、第１走査線切替機構４２Ｃは、選択した２本の走査線Ｙ１、Ｙ２のうち１番目の走査線Ｙ１を接地し、非選択の走査線Ｙ３〜Ｙｍを第１電圧源４１Ｃに接続する。同時に、第２走査線切替機構５２Ｃは、選択した２本の走査線Ｙ１、Ｙ２のうち２番目の走査線Ｙ２を接地し、非選択の走査線Ｙ３〜Ｙｍを第２電圧源５１Ｃに接続する。この状態で、データ線切替装置２２により、階調信号を生成し、この階調信号に基づいてデータ線Ｘを選択して、選択したデータ線Ｘを、所定期間、電流供給装置２１および第２印加装置２３に接続し、非選択のデータ線Ｘを接地する。
続いて、走査線切替装置１２Ｃで、次の２本の走査線Ｙ２、Ｙ３を選択する。ここで、図５に示すように、第１走査線切替機構４２Ｃは、選択した２本の走査線Ｙ２、Ｙ３のうち１番目の走査線Ｙ２を接地し、非選択の走査線Ｙ１、Ｙ４〜Ｙｍを第１電圧源４１Ｃに接続する。同時に、第２走査線切替機構５２Ｃは、選択した２本の走査線Ｙ２、Ｙ３のうち２番目の走査線Ｙ３を接地し、非選択の走査線Ｙ１、Ｙ４〜Ｙｍを第２電圧源５１Ｃに接続する。この状態で、データ線切替装置２２により、階調信号を生成し、この階調信号に基づいてデータ線Ｘを選択して、選択したデータ線Ｘを、所定期間、電流供給装置２１および第２印加装置２３に接続し、非選択のデータ線Ｘを接地する。
以上の手順を繰り返すことにより、画像表示を行う。
【００５４】
本実施形態によれば、上述した第１実施形態の（１）、（２）の効果と、第２実施形態の（３）の効果に加え、以下のような効果がある。
（５）走査線切替装置１２Ｃで、選択した走査線Ｙを、選択する度に、一端側または他端側で交互に接地した。よって、１本の走査線Ｙは、走査線切替装置１２Ｃで選択されるたびに、異なる方向に接地されることになる。したがって、走査線Ｙを順次選択していくと、目視上、重複して駆動される際に同一走査線Ｙの輝度むらが相殺されるので、画面の表示むらを軽減できる。
【００５５】
〔第５実施形態〕
図６は、本発明の第５実施形態に係る駆動回路が適用された電気光学装置１Ｄを示す回路図である。
電気光学装置１Ｄは、データ線Ｘおよびデータ線駆動回路２０Ｄの構造が、第１実施形態と異なる。
すなわち、データ線Ｘ１〜Ｘｎは、走査線２本毎の有機ＥＬ素子に対応して設けられている。具体的には、データ線Ｘｊ（ｊは１以上ｎ以下の整数）は、それぞれデータ線ＸＡｊおよびデータ線ＸＢｊの２本で構成され、第１〜４実施形態の２倍の本数となっている。データ線ＸＡｊは、奇数番目の走査線Ｙに係る有機ＥＬ素子に対応し、データ線ＸＢｊは、偶数番目の走査線Ｙに係る有機ＥＬ素子に対応している。
【００５６】
データ線駆動回路２０Ｄは、一定電流を供給する電流供給装置２１Ｄと、一定電圧を印加する第２印加装置２３Ｄと、階調信号に基づいてデータ線ＸＡ１〜ＸＢｎのうち選択したデータ線ＸＡ、ＸＢを電流供給装置２１Ｄおよび第２印加装置２３Ｄに接続し、非選択のデータ線ＸＡ、ＸＢを接地するデータ線切替装置２２Ｄと、を備える。
【００５７】
この電気光学装置１Ｄは以下のように動作する。
走査線切替装置１２で２本の走査線Ｙを選択し、選択した走査線Ｙを接地し、非選択の走査線Ｙを第１印加装置１１に接続する。この状態で、データ線切替装置２２Ｄにより、階調信号を生成し、この階調信号に基づいてデータ線ＸＡ、ＸＢを選択して、選択したデータ線ＸＡ、ＸＢを、所定期間、電流供給装置２１Ｄおよび第２印加装置２３Ｄに接続し、非選択のデータ線ＸＡ、ＸＢを接地する。
【００５８】
本実施形態によれば、上述した第１実施形態の（１）、（２）の効果に加え、以下のような効果がある。
（６）各データ線Ｘ１〜Ｘｎを走査線２本毎の有機ＥＬ素子に対応して設けたので、つまり、データ線方向に配列された１列の画素を２本のデータ線ＸＡ、ＸＢで駆動したので、２本の走査線Ｙを同時に選択しても、これら２本の走査線Ｙと各データ線Ｘ１〜Ｘｎとの交差に位置する有機ＥＬ素子をそれぞれ個別に駆動できるから、入力される階調データに基づいて正確に画像表示できる。
【００５９】
〔第６実施形態〕
図７は、本発明の第６実施形態に係る駆動回路が適用された電気光学装置１Ｅを示す回路図である。
電気光学装置１Ｅは、データ線Ｘおよびデータ線駆動回路２０Ｄの構造が、第２実施形態と異なる。具体的には、データ線Ｘおよびデータ線駆動回路２０Ｄの構造は、上述した第５実施形態と同じである。
【００６０】
この電気光学装置１Ｅは以下のように動作する。
まず、走査線切替装置１２Ａは、２本の走査線Ｙを選択する。次に、第１走査線切替機構４２は、選択した走査線Ｙのうち奇数番目を接地し、非選択の走査線Ｙのうち奇数番目を第１電圧源４１に接続する。同時に、第２走査線切替機構５２は、選択した走査線Ｙのうち偶数番目を接地し、非選択の走査線Ｙのうち偶数番目を第２電圧源５１に接続する。
この状態で、データ線切替装置２２Ｄにより、階調信号を生成し、この階調信号に基づいてデータ線ＸＡ、ＸＢを選択して、選択したデータ線ＸＡ、ＸＢを、所定期間、電流供給装置２１Ｄおよび第２印加装置２３Ｄに接続し、非選択のデータ線ＸＡ、ＸＢを接地する。
【００６１】
本実施形態によれば、上述した（１）、（２）、（３）、（６）の効果と同様の効果がある。
【００６２】
〔第７実施形態〕
図８は、本発明の第７実施形態に係る駆動回路が適用された電気光学装置１Ｆを示す回路図である。
電気光学装置１Ｆは、データ線Ｘおよびデータ線駆動回路２０Ｄの構造が、第３実施形態と異なる。データ線Ｘおよびデータ線駆動回路２０Ｄの構造は、上述した第５実施形態と同じである。
【００６３】
この電気光学装置１Ｆは以下のように動作する。
まず、走査線切替装置１２Ｂで２本の走査線Ｙを選択する。次に、走査線切替機構４２Ｂ、５２Ｂは、選択した走査線Ｙを接地し、非選択の走査線Ｙを電圧源４１Ｂ、５１Ｂに接続する。この状態で、データ線切替装置２２Ｄにより、階調信号を生成し、この階調信号に基づいてデータ線ＸＡ、ＸＢを選択して、選択したデータ線ＸＡ、ＸＢを、所定期間、電流供給装置２１Ｄおよび第２印加装置２３Ｄに接続し、非選択のデータ線ＸＡ、ＸＢを接地する。
【００６４】
本実施形態によれば、上述した（１）、（２）、（４）、（６）の効果と同様の効果がある。
【００６５】
〔第８実施形態〕
図９は、本発明の第８実施形態に係る駆動回路が適用された電気光学装置１Ｇを示す回路図である。
電気光学装置１Ｇは、データ線Ｘおよびデータ線駆動回路２０Ｄの構造が、第４実施形態と異なる。データ線Ｘおよびデータ線駆動回路２０Ｄの構造は、上述した第５実施形態と同じである。
【００６６】
この電気光学装置１Ｇは以下のように動作する。
まず、走査線切替装置１２Ｃで２本の走査線Ｙを選択する。ここで、第１走査線切替機構４２Ｃは、選択した２本の走査線Ｙ１、Ｙ２のうち１番目の走査線Ｙ１を接地し、非選択の走査線Ｙ３〜Ｙｍを第１電圧源４１Ｃに接続する。同時に、第２走査線切替機構５２Ｃは、選択した２本の走査線Ｙ１、Ｙ２のうち２番目の走査線Ｙ２を接地し、非選択の走査線Ｙ３〜Ｙｍを第２電圧源５１Ｃに接続する。この状態で、データ線切替装置２２Ｄにより、階調信号を生成し、この階調信号に基づいてデータ線ＸＡ、ＸＢを選択して、選択したデータ線ＸＡ、ＸＢを、所定期間、電流供給装置２１Ｄおよび第２印加装置２３Ｄに接続し、非選択のデータ線ＸＡ、ＸＢを接地する。
続いて、走査線切替装置１２Ｃで、次の２本の走査線Ｙ２、Ｙ３を選択する。第１走査線切替機構４２Ｃは、選択した２本の走査線Ｙ２、Ｙ３のうち１番目の走査線Ｙ２を接地し、非選択の走査線Ｙ１、Ｙ４〜Ｙｍを第１電圧源４１Ｃに接続する。同時に、第２走査線切替機構５２Ｃは、選択した２本の走査線Ｙ２、Ｙ３のうち２番目の走査線Ｙ３を接地し、非選択の走査線Ｙ１、Ｙ４〜Ｙｍを第２電圧源５１Ｃに接続する。この状態で、データ線切替装置２２により、階調信号を生成し、この階調信号に基づいてデータ線Ｘを選択して、選択したデータ線Ｘを、所定期間、電流供給装置２１および第２印加装置２３に接続し、非選択のデータ線Ｘを接地する。
以上の手順を繰り返すことにより、画像表示を行う。
【００６７】
本実施形態によれば、上述した（１）、（２）、（３）、（５）、（６）の効果と同様の効果がある。
【００６８】
なお、本発明は前記実施形態に限定されるものではなく、本発明の目的を達成できる範囲での変形、改良等は本発明に含まれるものである。
【００６９】
次に、上述した実施形態に係る電気光学装置１〜１Ｇを適用した電子機器について説明する。
図１０に、電気光学装置１〜１Ｇを適用したモバイル型のパーソナルコンピュータの構成を示す。パーソナルコンピュータ２０００は、表示ユニットとしての電気光学装置１〜１Ｇと本体部２０１０を備える。本体部２０１０には、電源スイッチ２００１およびキーボード２００２が設けられている。
【００７０】
図１１に、電気光学装置１〜１Ｇを適用した携帯電話機の構成を示す。携帯電話機３０００は、複数の操作ボタン３００１およびスクロールボタン３００２、ならびに表示ユニットとしての電気光学装置１〜１Ｇを備える。スクロールボタン３００２を操作することによって、電気光学装置１〜１Ｇに表示される画面がスクロールされる。
図１２に、電気光学装置１〜１Ｇを適用した情報携帯端末（ＰＤＡ：Personal  Digital  Assistants）の構成を示す。情報携帯端末４０００は、複数の操作ボタン４００１および電源スイッチ４００２、ならびに表示ユニットとしての電気光学装置１〜１Ｇを備える。電源スイッチ４００２を操作すると、住所録やスケジュール帳といった各種の情報が電気光学装置１〜１Ｇに表示される。
【００７１】
なお、電気光学装置１が適用される電子機器としては、図１０〜図１２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置１〜１Ｇが適用可能である。
【図面の簡単な説明】
【００７２】
【図１】本発明の第１実施形態に係る駆動回路が適用された電気光学装置の回路図である。
【図２】本発明の第２実施形態に係る駆動回路が適用された電気光学装置の回路図である。
【図３】本発明の第３実施形態に係る駆動回路が適用された電気光学装置の回路図である。
【図４】本発明の第４実施形態に係る駆動回路が適用された電気光学装置の回路図である。
【図５】前記実施形態に係る駆動回路の動作を説明するための回路図である。
【図６】本発明の第５実施形態に係る駆動回路が適用された電気光学装置の回路図である。
【図７】本発明の第６実施形態に係る駆動回路が適用された電気光学装置の回路図である。
【図８】本発明の第７実施形態に係る駆動回路が適用された電気光学装置の回路図である。
【図９】本発明の第８実施形態に係る駆動回路が適用された電気光学装置の回路図である。
【図１０】前記各電気光学装置を適用したモバイル型のパーソナルコンピュータの構成を示す斜視図である。
【図１１】前記各電気光学装置を適用した携帯電話機の構成を示す斜視図である。
【図１２】前記各電気光学装置を適用した情報携帯端末の構成を示す斜視図である。
【図１３】本発明の従来例に係る駆動回路が適用された電気光学装置の回路図である。
【符号の説明】
【００７３】
１、１Ａ、１Ｂ、１Ｃ、１Ｄ、１Ｅ、１Ｆ、１Ｇ…電気光学装置、Ｙ１〜Ｙｍ…走査線、Ｘ１〜Ｘｎ、ＸＡ、ＸＢ…データ線、１０、１０Ａ、１０Ｂ、１０Ｃ…走査線駆動回路（駆動回路）、１２、１２Ａ、１２Ｂ、１２Ｃ…走査線切替装置（走査線切替手段）、２０、２０Ｄ…データ線駆動回路（駆動回路）、２２、２２Ｄ…データ線切替装置（データ線切替手段、階調信号生成手段）、３０…表示パネル（表示部）。
【図１】
2006235162.tif 000005
【図２】
2006235162.tif 000006
【図３】
2006235162.tif 000007
【図４】
2006235162.tif 000008
【図５】
2006235162.tif 000009
【図６】
2006235162.tif 000010
【図７】
2006235162.tif 000011
【図８】
2006235162.tif 000012
【図９】
2006235162.tif 000013
【図１０】
2006235162.tif 000014
【図１１】
2006235162.tif 000015
【図１２】
2006235162.tif 000016
【図１３】
2006235162.tif 000017